(57)【要約】【課題】ブーツを一定の形状に保持するとともに、その間においてブーツ内底部と外気と開放可能とすることにより、当該内底部からの悪臭を除去可能とする。【解決手段】ブーツ３の胴筒部２１に嵌挿されることにより当該胴筒部２１の形状を保持するブーツ形状保持体において、弾性材料を円筒状とした本体部３０と、本体部３０の下端からさらに下方に向けて突出された少なくとも１の突出部３２とを備え、突出部３２は、上から下へ押圧することにより弾性収縮自在とされている。【選択図】図５
2008253722.tif 000002
【特許請求の範囲】
【請求項１】
ブーツの胴筒部に嵌挿されることにより当該胴筒部の形状を保持するブーツ形状保持体において、
弾性材料を円筒状とした定形性を呈する本体部と、
上記本体部の側壁下端に形成された溝部とを備えること
を特徴とするブーツ形状保持体。
【請求項２】
ブーツの胴筒部に嵌挿されることにより当該胴筒部の形状を保持するブーツ形状保持体において、
弾性材料を円筒状とした定形性を呈する本体部と、
上記本体部の側壁面下部に設けられた貫通孔とを備え、
上記貫通孔の径は、上記本体部における円筒の径の略１/２で構成されていること
を特徴とするブーツ形状保持体。
【請求項３】
上記本体部における側面には、少なくとも１の貫通小孔がさらに形成されていること
を特徴とする請求項１又は２記載のブーツ形状保持体。
【発明の詳細な説明】
【技術分野】
【０００１】
本発明は、ブーツを一定の形状に保持するためのブーツ形状保持体に関するものである。
【背景技術】
【０００２】
ロングブーツ等を脱いで玄関等に置いた状態において、ブーツの胴筒部が容易に折り曲がってしまう。かかる状態で長時間放置しておくと、胴筒部における折れ曲がった箇所において皴が付き、さらには型崩れを起こしてしまう可能性もある。このため、ブーツを長時間に亘り使用しないときには、胴筒部が折れ曲がらないようにして保管する必要がある。
【０００３】
従来においては、このようなブーツの胴筒部における折れ曲がりを防止するために、ブーツキーパーが提案されている（例えば、特許文献１参照。）。このブーツキーパーは、ブーツの胴筒部に挿入して胴筒部の形状を保持するものであって、胴筒部の足首関節付近に付いた皴を押し伸ばすための皴伸ばし部材を有している。また、特許文献２における開示技術では、圧縮空気注入・排出用バルブから空気を注入することにより、ブーツの胴筒部内において膨出可能な外形を備えた透明プラスチック製袋体により構成した形状保持具も提案されている。この特許文献２の開示技術では、圧縮空気の充填により袋体を膨出可能なので、これをブーツ胴筒部に挿入しておくことにより、ブーツは折れることなく、かつ自立して倒れることも無いため、その形状保持に大いに寄与することができる。
【０００４】
ところで、足を挿入するかかとからつま先に至るまでのブーツ内底部は、足裏からの汗を吸収してしまう。かかるブーツを履いて歩き続けると摩擦が加わり、ブーツ内の温度が上昇し、汗による雑菌によって繁殖しやすい環境を作り出す原因となる。このような雑菌を繁殖させないようにするためには、内底部の湿気を放出しなければならない。
【０００５】
しかしながら、この特許文献１の開示技術のブーツキーパーは、胴筒部より長い布袋を封入した柱状として構成している。このような構成からなるブーツキーパーをブーツの胴筒部に嵌挿すると、上述した内底部が外気から密閉された状態となる。特許文献２の開示技術も、袋体をブーツ胴筒部内で膨出させる構成としていることから、同様にブーツ内底部が外気から密閉された状態となる。
【０００６】
その結果、ブーツ内底部における湿気を放出することができず、雑菌の繁殖の原因となり、悪臭を放つ原因ともなっていた。
【特許文献１】特開２００５−６９１５号公報
【特許文献２】特開２００２−２２３８１３号公報
【発明の開示】
【発明が解決しようとする課題】
【０００７】
そこで、本発明は、上述した問題点に鑑みて案出されたものであり、その目的とするところは、ブーツを一定の形状に保持するとともに、その間においてブーツ内底部と外気と開放可能とすることにより、当該内底部からの悪臭を除去可能なブーツ形状保持体を提供することにある。
【課題を解決するための手段】
【０００８】
本願請求項１に係るブーツ形状保持体は、ブーツの胴筒部に嵌挿されることにより当該胴筒部の形状を保持するブーツ形状保持体において、予め気体が封入されてなるプラスチックシートを円筒状とした本体部と、上記本体部の側壁面下部に設けられた貫通孔、又は上記本体部の側壁下端に形成された溝部とを備え、上記本体部は、封入された上記気体により定形性を呈することを特徴とする。
【０００９】
本願請求項２に係るブーツ形状保持体は、請求項１記載の発明において、上記本体部における側面には、少なくとも１の貫通小孔がさらに形成されていることを特徴とする。
【発明の効果】
【００１０】
上述した構成からなる本発明では、定形性を呈するため、胴筒部は、折れることなく、かつ自立して倒れることも無いため、その形状を直立させた状態で保持することが可能となる。また、円筒状に構成され、さらに溝部並びに貫通孔の存在により、ブーツ内底部と外気と開放可能とすることにより、当該内底部からの悪臭を除去することが可能となる。
【発明を実施するための最良の形態】
【００１１】
以下、本発明を実施するための最良の形態として、ブーツを一定の形状に保持するためのブーツ形状保持体について、図面を参照しながら詳細に説明する。
【００１２】
第１の実施の形態
【００１３】
図１は、本発明を適用した第１の実施の形態としてのブーツ形状保持体１の斜視図を示している。このブーツ形状保持体１は、主としてプラスチックシート１０を円筒状に丸めて連結することにより構成されている。
【００１４】
このプラスチックシート１０は、通気性のないポリエチレン等の熱可塑性樹脂シートである。ちなみに、この熱可塑性樹脂としては、ポリエチレン以外に、ポリプロピレン、ポリエチレンテレフタレート、ナイロン、塩化ビニル、ポリカーボネート等から適宜選択するようにしてもよい。
【００１５】
このプラスチックシート１０は、図２に示すように予め気体が封入されてなる上下方向ｙに細長い短冊状の空気室１１を幅方向ｘへ列状に配置させている。この空気室１１は、プラスチックシート１０を長方形のシート２枚により構成し、これらを互いに重ね合わせて熱圧着を上下方向に施すことにより構成されるものであるが、これに限定されるものではなく、他のいかなる周知の方法によりこれを具体化するものであってもよい。また、この図２の例において、空気室１１は、プラスチックシート１０の表面１０ｂにおいて形成されている。即ち、空気室１１は、断面からみたときに表面上において凸状に突出された形となるように構成されている。
【００１６】
このようなプラスチックシート１０を作製した後、これを幅方向ｘに丸める。このとき、図１に示すように、空気室１１が形成されているプラスチックシート１０の表面１０ｂが内壁側に位置するように幅方向ｘに丸められることになる。そして、この幅方向ｘの端部は互いに連結されることにより、筒状に構成され、上下方向に貫通する貫通孔１３が形成されることになる。
【００１７】
このとき、プラスチックシート１０における裏面１０ａには、空気室１１が形成されてなく、平滑な面で構成されている。このため、プラスチックシート１０を丸める際には、この裏面１０ａが外側に、また空気室１１が設けられた表面１０ｂが内側になるようにして、容易に円筒状に構成することが可能となる。
【００１８】
この筒状に構成されたブーツ形状保持体１を実際に使用する際には、例えば図３に示すように、ブーツ２における胴筒部２１にこれを嵌挿する。その結果、ブーツ形状保持体１を構成する空気室１１は、図４に示す水平断面図に示すように、隣接する他の空気室１１との間で互いに圧迫されることになる。この空気室１１同士の圧迫により、空気室１１は外側へ向けて押し出そうとする膨張力ｆが作用することになる。ブーツ形状保持体１の外側は、嵌挿した胴筒部２１の内壁面と外接しているが、空気室１１間の圧迫に基づく膨張力ｆが当該胴筒部２１に負荷されることになる。その結果、胴筒部２１には、常時外側に拡径しようとする力が働くことから、ブーツ２における胴筒部２１は折れることなく、かつ自立して倒れることも無いため、その形状保持に大いに寄与することが可能となる。特に本発明では、ブーツ形状保持体１を胴筒部２１から突出させることなく嵌挿することも可能となり、特に展示品として陳列等を行う際において、自然に自立しているイメージを消費者に与えることも可能となる。
【００１９】
なお空気室１１同士の圧迫により、所望の膨張力ｆが作用するように、空気室１１の容積、サイズ、位置、間隔、配置個数、形状等が予め調整されている。各空気室１１とも、安定した膨張力ｆを発揮させるために、これらサイズ、容積等の各寸法は均等となるように調整されていることが望ましい。また、空気室１１は、互いに独立した空間として構成されていてもよいし、互いに連続した空間として構成されていてもよい。空気室１１間を互いに連続させる場合には、空気室間１１を互いに連結するバイパス等を設けるようにしてもよい。
【００２０】
ちなみに、図３(b)に示すように、ブーツ２の胴筒部２１が流線型を描いた形状とされている場合もある。かかる形状からなる胴筒部２１にブーツ形状保持体１を嵌挿すると図３(b)に示すように空気室１１の気体は、胴筒部２１における凹みが生じている部分からふくらみがある部分へと分散していくことになる。特にこの空気室１１は上下方向に短冊状となるように構成されていることから、空気室１１に封入されている気体は上下方向へ容易に移動し、分散可能となる。このような空気室１１を設けることにより、胴筒部２１の流線型に沿って気体を分散させて膨張力を発揮させることができる。その結果、胴筒部２１を構成する革に対して局所的に余計な膨張力が負荷することがなくなることから、胴筒部２１を構成する革にもやさしい形状保持を実現することが可能となる。
【００２１】
ちなみに、このブーツ形状保持体１は、幅方向ｘに丸めて円筒状で構成することにより、貫通孔１３が形成されている。このため、図３に示すように、ブーツ２における内底を含む空間としての内底部２３が、この貫通孔１３を介して外気へと開放されるようになる。このとき、ブーツ形状保持体１を胴筒部２１へ嵌挿する際において、これをかかと部２４に到達しない高さまで上げておくことが望ましい。これにより、内底部２３の外気に対する開放性を向上させることが可能となる。
【００２２】
これにより、ブーツ２における内底部２３における湿気を放出することが可能となり、雑菌の繁殖を防止することができ、悪臭を抑えることが可能となる。
【００２３】
なお上述した実施の形態においては、あくまで空気室１１は、プラスチックシート１０の表面１０ｂにおいて空気室１１を構成する場合を例にとり説明をしている。この空気室１１の表面１０ｂが内壁を構成するように筒状に折り曲げることにより、内側に突出する空気室１１間の圧迫の度合いを向上させることが可能となり、これにより膨張力ｆを発揮させることが可能となる。
【００２４】
但し、プラスチックシート１０の表面１０ｂにおいて空気室１１を構成しなくてもよい。例えば、表面１０ｂに形成されているか否かに関わらず、単に空気室１１を単に連続して数珠繋ぎ状で構成するようにしてもよい。
【００２５】
第２の実施の形態
【００２６】
図５(a)は、本発明を適用した第２の実施の形態としてのブーツ形状保持体３の斜視図を示している。このブーツ形状保持体３は、予め気体が封入されてなるプラスチックシートを円筒状とした本体部３０と、本体部３０の下端からさらに下方に向けて突出された少なくとも１の突出部３２とを備えている。この円筒状に構成された本体部３０には、貫通孔３１が設けられている。また、以下の説明においては、突出部３２が２つに亘り形成されている場合を例にとり説明をするが、これに限定されるものではなく、いかなる本数、容積、形状で構成するようにしてもよい。
【００２７】
このプラスチックシートは、通気性のないポリエチレン等の熱可塑性樹脂シートである。ちなみに、この熱可塑性樹脂としては、ポリエチレン以外に、ポリプロピレン、ポリエチレンテレフタレート、ナイロン、塩化ビニル、ポリカーボネート等から適宜選択するようにしてもよい。
【００２８】
本体部３０は、空気が封入されていることにより、定形性を保持することが可能となる。また、突出部３２は、予め気体が封入されてなるとともに、少なくとも本体部３０と突出部３２との間で気体を送入出可能とされている構成とされている。即ち、この突出部３２の内部空間と、本体部３０の内部空間とは互いにつながっている状態とされている。
【００２９】
突出部３２は、上下に弾性収縮自在とされている。突出部３２と本体部３０とは内部空間が互いにつながっていることから、突出部３２を底から押圧すると、図５(b)に示すように、突出部３２自体が弾性収縮する。その結果、ブーツ形状保持体３の高さを低くすることができる。その間、突出部３２における気体は、本体部３０へと送入されることになる。なお、この本体部３０並びに突出部３２に封入しておく気体の量を調整しておくことにより、突出部３２を押し込んで収縮させ、本体部３０へと送入させた気体により膨張力ｆを作用させるようにしてもよい。
【００３０】
特に本発明では、本体部３０よりも容積が小さい突出部３２を設けておくことにより、当該突出部３２を容易に伸縮自在とした構成とすることができる。
【００３１】
なお、本体部３０並びに突出部３２は、ウレタン等の定形性を有する弾性材料から構成されていてもよい。突出部３２を本体部３０よりも小さい断面積で構成することにより、これを押圧したときに容易に弾性収縮可能となる。
【００３２】
この筒状に構成されたブーツ形状保持体３を実際に使用する際には、例えば図６(a)に示すように、ブーツ２における胴筒部２１にこれを嵌挿する。本体部３０は、空気が封入されており定形性を保持していることから、胴筒部２１は、折れることなく、かつ自立して倒れることも無いため、その形状を直立させた状態で保持することが可能となる。仮にブーツ２が図６(b)に示すようにハーフブーツ等のような胴筒部２１が短いものである場合には、ブーツ形状保持体３を胴筒部２１に嵌挿した後、これを上から下へ押圧することにより、突出部３２を収縮させる。これにより、ブーツ形状保持体３の高さを押し下げることが可能となり、胴筒部２１の長さに合わせることが可能となる。
【００３３】
このため、ブーツ２を展示品として陳列する際において、このブーツ形状保持体３を消費者の視界から見えなくすることにより、自然に自立しているイメージを与えることも可能となる。また、ブーツ２が、胴筒部２１が長いロングブーツであっても、胴筒部２１が短いハーフブーツ等であっても、即ちブーツの胴筒部の長さがいかなる長さで構成されていても、突出部３２の伸縮自在に構成したブーツ形状保持体３により高さ調整を行うことで、消費者の視界から見えなくするように構成することが可能となる。
【００３４】
ちなみに、このブーツ形状保持体３は、筒状で構成することにより、貫通孔３１が形成されている。このため、図６に示すように、ブーツ２における内底を含む空間としての内底部２３が、この貫通孔１３を介して外気へと開放されるようになる。これにより、ブーツ２における内底部２３における湿気を放出することが可能となり、雑菌の繁殖を防止することができ、悪臭を抑えることが可能となる。
【００３５】
図７(a),(b)は、第１の実施の形態並びに第２の実施の形態の双方の技術的思想を取り込んだブーツ形状保持体７を示している。
【００３６】
ブーツ形状保持体７は、予め気体が封入されてなる上下方向ｙに細長い短冊状の空気室１１を幅方向ｘへ複数列に亘り配置させている。この空気室１１は、プラスチックシート１０を長方形のシート２枚により構成し、これらを互いに重ね合わせて熱圧着を上下方向に施すことにより構成されるものである。また、一部の空気室１１については、突出部３２に対応した長さの分だけ延長されている。また、これら各空気室１１は互いに図示しないバイパスを介して連続しており、少なくとも一の空気送入口を介して全体に亘り空気を送入可能とされている。
【００３７】
このような平面形状からなるプラスチックシート１０を、幅方向ｘに丸めて円筒状で構成することにより、図７(b)に示すような形態のブーツ形状保持体７とすることが可能となる。
【００３８】
このブーツ形状保持体７では、隣接する空気室１１の圧迫により外側への膨張力を負荷させることが可能となる。また、これと同時に突出部３２が設けられていることから、これを弾性収縮自在にすることにより、高さ調整も可能となる。さらに、突出部３２を押し込んで収縮させ、本体部３０へと送入させた気体により膨張力ｆを作用させるようにしてもよい。
【００３９】
第３の実施の形態
【００４０】
図８(a),(b)は、本発明を適用した第３の実施の形態としてのブーツ形状保持体４の斜視図を示している。このブーツ形状保持体４は、予め気体が封入されてなるプラスチックシートを円筒状とした本体部４０と、本体部４０の側壁面下部に設けられた貫通孔４２ｂ、又は本体部の側壁下端に形成された溝部４２ａとを備えている。ちなみに、この溝部４２ａや貫通孔４２ｂは、いかなる形状で構成されていてもよく、またいかなる個数で構成されていてもよい。貫通孔４２ｂは、円筒状とした本体部４０における貫通孔４１に対して連結されている。貫通孔４２ｂが設けられる箇所は、少なくともブーツ２における内底部２３の位置との関係において予め調整されているが、少なくとも下半分の何れかの位置において形成されていることが望ましい。本体部４０は、空気が封入されていることにより、定形性を保持することが可能となる。
【００４１】
この筒状に構成されたブーツ形状保持体３を実際に使用する際には、例えば図９(a),(b)に示すように、ブーツ２における胴筒部２１にこれを嵌挿する。本体部４０は、空気が封入されており定形性を保持していることから、胴筒部２１は、折れることなく、かつ自立して倒れることも無いため、その形状保持に大いに寄与することが可能となる。
【００４２】
図９(a)は、ブーツ２における内底を含む空間としての内底部２３が、溝部４２ａ、ならびに貫通孔４１を介して外気へと開放されるようになる。これにより、ブーツ２における内底部２３における湿気を放出することが可能となり、雑菌の繁殖を防止することができ、悪臭を抑えることが可能となる。なお、この溝部４２ａの形状としては、製造容易性の観点から矩形状又は当該矩形の角を丸めた形状で構成されていることが望ましい。
【００４３】
図９(b)は、ブーツ２における内底を含む空間としての内底部２３が、貫通孔４２ｂ、
ならびに貫通孔４１を介して外気へと開放されるようになる。これにより、ブーツ２における内底部２３における湿気を放出することが可能となり、雑菌の繁殖を防止することができ、悪臭を抑えることが可能となる。この図９(b)に示すように、貫通孔４２ｂの径は、本体部における円筒の径の略１/２で構成されていることが望ましい。
【００４４】
なお、少なくとも２つの溝部４２ａを構成することにより、第２の実施の形態における突出部３２と同様の機能を発揮させるようにしてもよいことは勿論である。
【００４５】
さらに本実施の形態においては、本体部４０における側面には、少なくとも１の貫通小孔がさらに形成されていてもよい。ここでいう本体部４０の側面は胴筒部２１の内壁に対面するものであるが、当該側面において貫通小孔を多数形成させておくことにより、胴筒部２１における通気性、換気性を向上させることが可能となる。
【００４６】
なお、この第３の実施の形態においては、本体部３０につき、プラスチックシートの代替として、ウレタン等の定形性を有する弾性材料から構成されていてもよいことは勿論である。
【図面の簡単な説明】
【００４７】
【図１】本発明を適用した第１の実施の形態としてのブーツ形状保持体の斜視図である。
【図２】プラスチックシート上に配置させた空気室について説明するための図である。
【図３】筒状に構成されたブーツ形状保持体を実際にブーツにおける胴筒部に嵌挿した例を示す図である。
【図４】ブーツ形状保持体の水平断面図である。
【図５】本発明を適用した第２の実施の形態としてのブーツ形状保持体の斜視図である。
【図６】第２の実施の形態における他の例を示す図である。
【図７】第１の実施の形態並びに第２の実施の形態の双方の技術的思想を取り込んだブーツ形状保持体の例を示す図である。
【図８】本発明を適用した第３の実施の形態としてのブーツ形状保持体の斜視図である。
【図９】第３の実施の形態におけるブーツ形状保持体を実際に胴筒部に嵌挿した例を示す図である。
【符号の説明】
【００４８】
１  ブーツ形状保持体
２  ブーツ
１０  プラスチックシート
１１  空気室
１３  貫通孔
２１  胴筒部
２３  内底部
２４  かかと部
３０  本体部
３１  貫通孔
３２  突出部
【図１】
2008253722.tif 000003
【図２】
2008253722.tif 000004
【図３】
2008253722.tif 000005
【図４】
2008253722.tif 000006
【図５】
2008253722.tif 000007
【図６】
2008253722.tif 000008
【図７】
2008253722.tif 000009
【図８】
2008253722.tif 000010
【図９】
2008253722.tif 000011